(57)【要約】【課題】素人でも手間なく簡単に取り付けることができ、安価で、しかも、ねじ頭部を外部に全く露出させることのない、美的外観上高級感に満ちたタオル掛けを提供する。【解決手段】タオル掛けＡの取付ブラケット２０は、樹脂材で一体成形して円板部２１から同心的に連結筒部２２を立設し、連結筒部を、その外周に平面からなる基準面２２ａを少なくとも１つ設けた異形筒状に形成すると共に、連結筒部の基準面に弾性板片２２ｂを形成し、弾性板片の上端に掛止め爪２２ｃを外向きに突設する。一方、外装キャップ３０は、取付ブラケットの外形状に合わせて、環状鍔部３１と、環状鍔部から同心的に突設した円筒キャップ部３２とからなる略ハット型に全体を形成し、円筒キャップ部には、連結筒部が嵌合可能なそれと同じ異形筒穴状の嵌込み穴３５を形成すると共に、嵌込み穴に連結筒部を嵌合させたときに掛止め爪が係止する掛止め穴４０を設けた構成にする。【選択図】          図１
2006102373.tif 000002
【特許請求の範囲】
【請求項１】
壁面にねじ止めする円板部を有した一対の取付ブラケットと、前記円板部を含む該取付ブラケット全体に被せて取り付ける一対の化粧用外装キャップと、それら外装キャップに有するバー連結穴に両端部を差し込んで連結するタオルバーと、からなるタオル掛けにおいて、
前記取付ブラケットは、
樹脂材で一体成形して前記円板部から同心的に連結筒部を立設し、該連結筒部を、その外周に平面からなる基準面を少なくとも１つ設けた異形筒状に形成すると共に、該連結筒部の前記基準面において高さ方向に２つのスリットを設けて該スリット間に弾性板片を形成し、該弾性板片の上端に掛止め爪を外向きに突設する一方、
前記外装キャップは、
前記取付ブラケットの外形状に合わせて、環状鍔部と、該環状鍔部から同心的に突設した円筒キャップ部とからなる略ハット型に全体を形成し、該円筒キャップ部には、前記連結筒部が嵌合可能なそれと同じ異形筒穴状の嵌込み穴を形成すると共に、該嵌込み穴に前記連結筒部を嵌合させたときに前記掛止め爪が係止する掛止め穴を設けてなることを特徴とする、タオル掛け。
【発明の詳細な説明】
【技術分野】
【０００１】
本発明は、化粧用の外装キャップを被せた取付ブラケットを用いてタオルバーを壁面に取り付けるタオル掛けの改良に関する。
【背景技術】
【０００２】
従来、この種のタオル掛けは、一般には、図７および図８に示すように、パイプ状のタオルバー１を、左右一対の取付ブラケット２・２と、取付ブラケット２・２にそれぞれ被せる化粧用外装キャップ３・３を用いて壁面Ｗに取り付けた構造になっている。
【０００３】
取付ブラケット２は、壁面Ｗにねじ止めする円板部２ａと、円板部２ａから同心的に立設した円柱状の支柱部２ｂとで形成されている。支柱部２ｂには、その外周面にねじ穴２ｃが径方向に螺設されている。一方、外装キャップ３は、全体を取付ブラケット２の外形状に合わせ、環状鍔部３ａと、環状鍔部３ａから同心的に突設した円筒部３ｂとで略ハット型に形成されている。円筒部３ｂの外周には、取付ブラケット２のねじ穴２ｃに対応させて、ねじ穴３ｃが設けられている。
【０００４】
そして取付時、取付ブラケット２は、ねじ穴２ｃを所定の下向きに位置決めしてから、円板部２ａにおいて、例えば木ネジ４・４を捩じ込んで壁面Ｗの所定取付位置に固着している。他方、タオルバー１は、その両端部１ａを、外装キャップ３に有するバー連結穴３ｄに差し込み、バー固定ネジ５で固定して外装キャップ３に連結する。それから、外装キャップ３を、円筒部３ｂ内の嵌合穴３ｅに支柱部２ｂを嵌合させ、互いのねじ穴２ｃ・３ｃを位置合わせして環状鍔部３ａを円板部２ａに嵌め付けて、取付ブラケット２全体に被せる。そして、ねじ穴２ｃ・３ｃに芋ネジ６を捩じ込んで外装キャップ３を取付ブラケット２に固着し、これにより、タオルバー１を壁面Ｗに付設している。
【発明の開示】
【発明が解決しようとする課題】
【０００５】
ところが、上述した従来のタオル掛けでは、取付けに際し、取付ブラケット２に対し外装キャップ３を被せて、互いのねじ穴２ｃ・３ｃを位置出し、更には、ねじ穴２ｃ・３ｃに小さな芋ネジ６を螺合させてねじ止めする作業工程が必要であり、それだけ取付作業に手間と時間を要し、面倒であるという課題があった。しかも、芋ネジ６を必要とする分だけ、全体に部品コストが高くなるという課題があった。更には、取付ブラケット２の円板部２ａにおいて、木ネジ４の頭部は外装キャップ３の環状鍔部３ａで覆い隠されるが、その外装キャップ３の円筒部３ｂから、芋ネジ６の頭部が依然として外部に露出し、これでは、タオル掛けに要求される高級感に欠けるため、美的外観上好ましくないという課題があった。
【０００６】
そこで、本発明の目的は、上述した従来の課題を解決し、素人でも手間なく簡単に取り付けることができ、安価で、しかも、ねじ頭部を外部に全く露出させることのない、美的外観上高級感に満ちたタオル掛けを提供することにある。
【課題を解決するための手段】
【０００７】
上記した課題を解決すべく、請求項１に記載の発明は、たとえば以下に示す図示実施の形態のとおり、壁面Ｗにねじ止めする円板部２１を有した一対の取付ブラケット２０・２０と、前記円板部２１を含む該取付ブラケット全体に被せて取り付ける一対の化粧用外装キャップ３０・３０と、それら外装キャップに有するバー連結穴３６に両端部１０ａを差し込んで連結するタオルバー１０と、からなるタオル掛けＡにおいて、前記取付ブラケット２０は、樹脂材で一体成形して前記円板部２１から同心的に連結筒部２２を立設し、該連結筒部２２を、その外周に平面からなる基準面２２ａを少なくとも１つ設けた異形筒状に形成すると共に、該連結筒部２２の前記基準面２２ａにおいて高さ方向に２つのスリット２３・２３を設けて該スリット間に弾性板片２２ｂを形成し、該弾性板片２２ｂの上端に掛止め爪２２ｃを外向きに突設する一方、前記外装キャップ３０は、前記取付ブラケット２０の外形状に合わせて、環状鍔部３１と、該環状鍔部３１から同心的に突設した円筒キャップ部３２とからなる略ハット型に全体を形成し、該円筒キャップ部３２には、前記連結筒部２２が嵌合可能なそれと同じ異形筒穴状の嵌込み穴３５を形成すると共に、該嵌込み穴３５に前記連結筒部２２を嵌合させたときに前記掛止め爪２２ｃが係止する掛止め穴４０を設けてなることを特徴とする。
【発明の効果】
【０００８】
請求項１に記載の発明によれば、取付ブラケットの嵌込み穴に外装キャップの連結筒部を嵌合させて環状鍔部を円板部に嵌め付けると、異形筒状の連結筒部と嵌込み穴の嵌め合いにより取付ブラケットに外装キャップが回り止め状態で装着させると共に、外装キャップの掛止め穴に弾性板片の掛止め爪が係止して抜け止め状態で取り付けられ、これにより、従来の如く芋ネジ等の止めネジを用いることなく、外装キャップを取付ブラケットに取り付けるため、それだけ手間なく素人でも簡単にタオル掛けを壁面に取り付けることができる。しかも、芋ネジ等の止めネジが不要な分だけ、部品コストを安価にすることができる。更に、ねじ頭部を外部に全く露出させることなく、外装キャップを取付ブラケットに被せて取り付け、それだけ見栄えを良好にして美的外観上高級感を高めることができる。
【発明を実施するための最良の形態】
【０００９】
以下、図面を参照しつつ、本発明の実施の形態について説明する。
【００１０】
図１および図２は、それぞれ本発明の一例であるタオル掛けを異なる角度から見て示す分解斜視図、図３はタオル掛けを壁面取付状態で示す底面図、図４はタオル掛けの図３中線Ｘ−Ｘ断面図である。全体に符号Ａで示すタオル掛けは、タオルバー１０を、一対の取付ブラケット２０・２０と、取付ブラケット２０・２０にそれぞれ被せる化粧用外装キャップ３０・３０を用いて、壁面Ｗに取り付ける構成になっている。
【００１１】
図示例のタオルバー１０は、高級感のある、例えば黄銅やステンレス鋼製のパイプを用い、そのパイプを表面仕上げして光沢をもたせた構成になっている。
【００１２】
取付ブラケット２０は、樹脂材で一体成形し、中心にねじ挿通穴２１ａをあけた円板部２１と、円板部２１から同心的に立設した連結筒部２２とで形成してなる。連結筒部２２は、通常の円筒状ではなく、外周がそれぞれ平面の六面で形成された断面六角形の異形筒状に成形されている。しかも、六面のうちの一面を基準面２２ａとし、その基準面２２ａの高さ方向に２つの平行なスリット２３・２３を設け、それらスリット２３・２３間に弾性板片２２ｂを形成している。そして、弾性板片２２ｂの上端には、掛止め爪２２ｃを外向きに突設してなる。
【００１３】
一方、外装キャップ３０は、タオルバー１０と同様に、例えば黄銅やステンレス鋼製で表面仕上げしてつくられ、取付ブラケット２０の外形状に合わせて、環状鍔部３１と、環状鍔部３１から同心的に突設した円筒キャップ部３２とからなる、略ハット型に成形してなる。そして、環状鍔部３１は、取付ブラケット２０における円板部２１の板厚に合わせて、それを嵌め込み可能な円形凹部３１ａを設けた底の浅い丸蓋状に成形している。円筒キャップ部３２は、円形凹部３１ａと同心的に嵌込み穴３５を有すると共に、その上部側の中実部分には、嵌込み穴３５と直交する径方向に、タオルバー１０の軸径に合わせてバー連結穴３６が穿設されている。嵌込み穴３５は、取付ブラケット２０の連結筒部２２に合わせて、それを嵌合可能な同じ断面六角形の異形筒穴状に形成されている。そして、円筒キャップ部３２には、その外周に、掛止め爪２２ｃの掛止め穴４０が設けられている。掛止め穴４０は、後述するように嵌込み穴３５に取付ブラケット２０の連結筒部２２を嵌合させたとき、掛止め爪２２ｃが係止する高さ位置にあけられている。
【００１４】
さて、上述した部品構成のタオル掛けＡは、これを組み立てて、たとえば壁面Ｗに取り付けるときは、タオルバー１０に、その両端部１０ａを外装キャップ３０・３０のバー連結穴３６にそれぞれ差し込んで、外装キャップ３０・３０を連結する。他方、取付ブラケット２０・２０は、連結筒部２２内に木ネジ２９を入れてねじ挿通穴２１ａに挿通し、この木ネジ２９を捩じ込んで壁面Ｗの所定取付位置にそれぞれ固着する。このとき、取付ブラケット２０・２０は、連結筒部２２において、掛止め爪２２ｃを有した基準面２２ａを基準にして位置出し、これによって壁面Ｗ上で掛止め爪２２ｃが床面に向け下向きとなる所定角度位置にそれぞれ取り付けられる。
【００１５】
しかる後、取付ブラケット２０・２０に、それぞれタオルバー１０に連結した外装キャップ３０・３０を被せて取り付ける。その場合、基準面２２ａにある掛止め爪２２ｃに対し掛止め穴４０の向きを位置合わせしてから、円筒キャップ部３２の嵌込み穴３５に連結筒部２２を嵌合させ、環状鍔部３１を円板部２１に嵌め付けて、外装キャップ３０を取付ブラケット２０に被せる。すると、異形筒状の連結筒部２２と嵌込み穴３５の嵌め合いによって取付ブラケット２０に外装キャップ３０が回り止め状態で装着させると同時に、外装キャップ３０の掛止め穴４０には、弾性板片２２ｂの弾性により掛止め爪２２ｃが係止し、取付ブラケット２０に外装キャップ３０が抜け止め状態で取り付けられる。
【００１６】
ところで、上記図示例では、取付ブラケット２０の連結筒部２２を、外形が断面六角形の異形筒状に形成する一方、それに合わせて、外装キャップ３０の嵌込み穴３５を同じ断面六角形の異形筒穴状に形成し、この連結筒部２２と嵌込み穴３５の嵌め合いにより外装キャップ３０を取付ブラケット２０に回り止め状態で装着した。しかし、本発明は、上記図示例に限られず、取付ブラケットの連結筒部を、その外周に平面の基準面を少なくとも１つ設けた異形筒状に形成する一方、円筒キャップ部に、連結筒部が嵌合可能なそれと同じ異形筒穴状の嵌込み穴を形成し、この連結筒部と嵌込み穴の嵌め合により外装キャップが取付ブラケットに回り止め状態で装着させる構成であればよい。従って、取付ブラケットの連結筒部と外装キャップの嵌込み穴の形状は、上記図示例のように断面六角形に限らず、四角形など他の断面多角形状に形成してもよく、また、たとえば図５および図６に示すように、断面Ｄ形の異形筒状又は異形筒穴状に形成することもできる。
【００１７】
図示他例において、タオル掛けＡの取付ブラケット２０・２０は、連結筒部２２を、その外周がそれぞれ曲面と平面の２面で形成された断面略Ｄ形の異形筒状に成形され、そのうちの平面を基準面２２ａとし、その基準面２２ａに弾性板片２２ｂを形成し、弾性板片２２ｂの上端に掛止め爪２２ｃを外向きに突設して構成する。一方の外装キャップ３０は、円筒キャップ部３２の嵌込み穴３５を、取付ブラケット２０の連結筒部２２に合わせて、それを嵌合可能な同じ断面略Ｄ形の異形筒穴状に形成する。そして、断面略Ｄ形の異形筒状をなす連結筒部２２と嵌込み穴３５の嵌め合により、外装キャップ３０を取付ブラケット２２に回り止め状態で装着させる構成にしてなる。
【図面の簡単な説明】
【００１８】
【図１】本発明の一例であるタオル掛けの分解斜視図である。
【図２】タオル掛けを異なる角度から見て示す分解斜視図である。
【図３】タオル掛けを壁面取付状態で示す底面図である。
【図４】タオル掛けの図３中線Ｘ−Ｘ断面図である。
【図５】本発明の他例であるタオル掛けの分解斜視図である。
【図６】他例の取付ブラケットと外装キャップを示す斜視図である。
【図７】従来のタオル掛けを壁面取付状態で示す平面図である。
【図８】従来のタオル掛けを壁面取付状態で示す正面図である。
【符号の説明】
【００１９】
Ａ            タオル掛け
Ｗ            壁面
１０          タオルバー
２０          取付ブラケット
２１          円板部
２２          連結筒部
２２ａ        基準面
２２ｂ        弾性板片
２２ｃ        掛止め爪
２３          スリット
３０          外装キャップ
３１          環状鍔部
３２          円筒キャップ部
３５          嵌込み穴
４０          掛止め穴
【図１】
2006102373.tif 000003
【図２】
2006102373.tif 000004
【図３】
2006102373.tif 000005
【図４】
2006102373.tif 000006
【図５】
2006102373.tif 000007
【図６】
2006102373.tif 000008
【図７】
2006102373.tif 000009
【図８】
2006102373.tif 000010